(57)【要約】【課題】この発明は、モスキートノイズに対して実用的なレベルで適切に対処することを可能とした映像信号処理装置及び映像信号処理方法を提供することを目的としている。【解決手段】受信した映像信号にモスキートノイズに対するノイズリダクション処理を施すＭＰＥＧノイズリダクション処理部７１を、設定すべき複数の項目を選択肢として表示した設定画面上で所望の項目を選択させることにより、選択された項目に対応した設定状態に制御することができるようにしている。【選択図】図１０
2006246249.tif 000002
【特許請求の範囲】
【請求項１】
映像信号を受信する受信手段と、
前記受信手段で受信された映像信号に、モスキートノイズに対するノイズリダクション処理を施す処理手段と、
所定の操作に基づいて、前記処理手段に対して設定すべき複数の項目を選択肢として表示した設定画面を表示し、該設定画面上で所望の項目を選択する選択手段と、
前記選択手段によって選択された項目に対応した設定状態に前記処理手段を制御する制御手段とを具備することを特徴とする映像信号処理装置。
【請求項２】
前記選択手段は、
所定の操作に基づいて、前記処理手段に対して設定すべき複数の項目を選択肢として表示した設定画面を表示する設定画面表示手段と、
所定の操作に基づいて、前記設定画面表示手段で表示された設定画面上で所望の項目を選択する項目選択手段とを具備することを特徴とする請求項１記載の映像信号処理装置。
【請求項３】
前記設定画面表示手段は、それぞれが複数の項目を選択肢として持つ階層構造となされた複数の設定画面に分け入る所定の操作が行なわれることにより、前記処理手段に対して設定すべき複数の項目を選択肢として表示した設定画面に至ることを特徴とする請求項２記載の映像信号処理装置。
【請求項４】
前記設定画面表示手段は、
それぞれが複数の項目を選択肢として持つ階層構造となされた複数の設定画面のうち、階層の頂点となる設定画面を表示させる第１の操作手段と、
表示された設定画面上で所望の項目を選択して決定させる第２の操作手段とを具備することを特徴とする請求項２記載の映像信号処理装置。
【請求項５】
前記処理手段に対して設定すべき複数の項目を選択肢として表示した設定画面には、前記処理手段に対してノイズリダクション処理を停止状態に設定するための項目が含まれることを特徴とする請求項１乃至４いずれかに記載の映像信号処理装置。
【請求項６】
前記処理手段は、ノイズリダクション処理を停止状態に設定するための第１の制御信号が入力される第１の端子を備えることを特徴とする請求項５記載の映像信号処理装置。
【請求項７】
前記制御手段は、前記処理手段に対して設定すべき複数の項目を選択肢として表示した設定画面から、前記処理手段に対してノイズリダクション処理を停止状態に設定するための項目が選択されたとき、前記処理手段の第１の端子に前記第１の制御信号を供給することを特徴とする請求項６記載の映像信号処理装置。
【請求項８】
前記処理手段に対して設定すべき複数の項目を選択肢として表示した設定画面には、前記処理手段に対してノイズリダクション処理の強さを設定するための項目が含まれることを特徴とする請求項１乃至７いずれかに記載の映像信号処理装置。
【請求項９】
前記処理手段は、ノイズリダクション処理の強さを設定するための第２の制御信号が入力される第２の端子を備えることを特徴とする請求項８記載の映像信号処理装置。
【請求項１０】
前記制御手段は、前記処理手段に対して設定すべき複数の項目を選択肢として表示した設定画面から、前記処理手段に対してノイズリダクション処理の強さを設定するための項目が選択されたとき、前記処理手段の第２の端子に前記第２の制御信号を供給することを特徴とする請求項９記載の映像信号処理装置。
【請求項１１】
前記受信手段は、ＭＰＥＧ方式により圧縮符号化され伸張処理が施された映像信号を受信することを特徴とする請求項１乃至１０いずれかに記載の映像信号処理装置。
【請求項１２】
映像信号を受信する工程と、
受信された映像信号に、モスキートノイズに対するノイズリダクション処理を施す処理手段によりノイズリダクション処理を行なう工程と、
所定の操作に基づいて、前記処理手段に対して設定すべき複数の項目を選択肢として表示した設定画面を表示し、該設定画面上で所望の項目を選択させる工程と、
選択された項目に対応した設定状態に前記処理手段を制御する工程とを具備することを特徴とする映像信号処理方法。
【発明の詳細な説明】
【技術分野】
【０００１】
この発明は、例えばデジタルテレビジョン放送受信装置等に使用して好適する映像信号処理装置及び映像信号処理方法に関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
現状におけるデジタルテレビジョン放送にあっては、映像信号にＭＰＥＧ（moving picture experts group）方式による圧縮符号化処理を施してデジタル放送している。そして、デジタル放送受信装置で、受信した映像信号にＭＰＥＧデコード処理を施して映像表示させている。
【０００４】
ところで、ＭＰＥＧ方式による圧縮伸長処理が施された映像信号を画面表示した場合、表示画面上に微細な点がちらついて見える、いわゆるモスキートノイズが発生することが知られている。このモスキートノイズは、圧縮率が高いほど発生し易く、また、動画に比べて静止画のほうが視認し易いという性質を有している。
【０００５】
特許文献１には、３次元ノイズリダクション処理部によりＤＶＤ（digital versatile disk）の再生信号に対してノイズ削減処理を施す際、ジョグシャトルを回転操作することにより、３次元ノイズリダクション処理部のノイズ削減レベルを段階的に調整可能とした構成が開示されている。
【０００６】
特許文献２には、ノイズ削減レベルを設定可能な３次元ノイズリダクション処理部によりＤＶＤの再生信号に対してノイズ削減処理を施す際、ＤＶＤの識別情報とノイズ削減レベルとを対応付けて記憶しておき、ＤＶＤの装着時に記憶されたノイズ削減レベルでのノイズ削減処理を自動的に行なう構成が開示されている。
【０００７】
しかしながら、これらの特許文献１，２には、いずれも、ＭＰＥＧ方式による圧縮伸長処理が施された映像信号を画面表示した場合に特有に発生するモスキートノイズに対処することについては、何らの記載もなされていないものである。
【特許文献１】特開２０００−１９７０１４号公報
【特許文献２】特開２０００−１９５１７３号公報
【発明の開示】
【発明が解決しようとする課題】
【０００８】
そこで、この発明は上記事情を考慮してなされたもので、モスキートノイズに対して実用的なレベルで適切に対処することを可能とした映像信号処理装置及び映像信号処理方法を提供することを目的とする。
【課題を解決するための手段】
【０００９】
この発明に係る映像信号処理装置は、映像信号を受信する受信手段と、受信手段で受信された映像信号に、モスキートノイズに対するノイズリダクション処理を施す処理手段と、所定の操作に基づいて、処理手段に対して設定すべき複数の項目を選択肢として表示した設定画面を表示し、該設定画面上で所望の項目を選択する選択手段と、選択手段によって選択された項目に対応した設定状態に処理手段を制御する制御手段とを備えるようにしたものである。
【００１０】
また、この発明に係る映像信号処理方法は、映像信号を受信する工程と、受信された映像信号に、モスキートノイズに対するノイズリダクション処理を施す処理手段によりノイズリダクション処理を行なう工程と、所定の操作に基づいて、処理手段に対して設定すべき複数の項目を選択肢として表示した設定画面を表示し、該設定画面上で所望の項目を選択させる工程と、選択された項目に対応した設定状態に処理手段を制御する工程とを備えるようにしたものである。
【発明の効果】
【００１１】
上記した構成及び方法によれば、映像信号にモスキートノイズに対するノイズリダクション処理を施す処理手段を、設定すべき複数の項目を選択肢として表示した設定画面上で所望の項目を選択させることにより、選択された項目に対応した設定状態にすることができるようにしたので、モスキートノイズに対して実用的なレベルで適切に対処することができるようになる。
【発明を実施するための最良の形態】
【００１２】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１３】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１４】
また、このデジタルテレビジョン放送受信装置１１には、例えばＳＤ（secure digital）メモリカード及びＭＭＣ（multimedia card）等の第１のメモリカード１９が着脱可能となっており、この第１のメモリカード１９に対して番組や写真等の情報の記録再生が行なわれるようになっている。
【００１５】
さらに、このデジタルテレビジョン放送受信装置１１には、例えば契約情報等の記録された半導体メモリを内蔵する第２のメモリカード（ＩＣカード）２０が着脱可能となっており、この第２のメモリカード２０に対して情報の記録再生が行なわれるようになっている。
【００１６】
また、このデジタルテレビジョン放送受信装置１１は、第１のＬＡＮ（local area network）端子２１、第２のＬＡＮ端子２２、ＵＳＢ（universal serial bus）端子２３及びi．Link端子２４を備えている。
【００１７】
このうち、第１のＬＡＮ端子２１は、ＬＡＮ対応ＨＤＤ（hard disk drive）専用ポートとして使用されるもので、接続されたＮＡＳ（network attached storage）であるＬＡＮ対応のＨＤＤ２５に対して、イーサネット（登録商標）により情報の記録再生を行なうために使用される。
【００１８】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１９】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（personal computer）２８、ＨＤＤ内臓のＤＶＤレコーダ２９等の機器を接続し、これらの機器と情報伝送を行なうために使用される。
【００２０】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２１】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２２】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２３】
さらに、上記i．Link端子２４は、例えばＡＶ−ＨＤＤ４１及びＤ（digital）−ＶＨＳ（video home system）４２、さらには、地上波デジタルチューナ（図示せず）等をシリアル接続し、これらの機器と情報伝送を行なうために使用される。
【００２４】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２５】
そして、このチューナ４５で選局された放送信号は、ＰＳＫ（phase shift keying）復調器４６に供給されて、デジタルの映像信号及び音声信号に復調された後、信号処理部４７に出力される。
【００２６】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２７】
そして、このチューナ５０で選局された放送信号は、ＯＦＤＭ（orthogonal frequency division multiplexing）復調器５１に供給されて、デジタルの映像信号及び音声信号に復調された後、上記信号処理部４７に出力される。
【００２８】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されて、アナログの映像信号及び音声信号に復調された後、上記信号処理部４７に出力される。
【００２９】
さらに、上記信号処理部４７には、複数（図示の場合は４つ）の入力端子５４ａ，５４ｂ，５４ｃ，５４ｄが接続されている。これら入力端子５４ａ〜５４ｄは、それぞれ、アナログの映像信号及び音声信号を、デジタルテレビジョン放送受信装置１１の外部から入力可能とするものである。
【００３０】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施している。
【００３１】
また、この信号処理部４７は、上記アナログ復調器５３及び各入力端子５４ａ〜５４ｄからそれぞれ供給されたアナログの映像信号及び音声信号を選択的にデジタル化し、そのデジタル化された映像信号及び音声信号に対して所定のデジタル信号処理を施している。
【００３２】
この信号処理部４７が行なうデジタル信号処理としては、例えば、映像信号に対するＭＰＥＧデコード処理、このＭＰＥＧデコード処理に伴なって発生するモスキートノイズを削減するＭＰＥＧノイズリダクション処理、映像信号にＯＳＤ（on screen display）信号を重畳する処理、映像信号に対するスケーリング処理、音声信号に対するデコード処理等がある。
【００３３】
そして、信号処理部４７から出力されたデジタルの映像信号は、映像処理部５５に供給される。この映像処理部５５は、入力されたデジタルの映像信号を、前記映像表示器１４で表示可能なフォーマットのアナログ映像信号に変換した後、映像表示器１４に出力して映像表示させるとともに、出力端子５６を介して外部に導出させる。
【００３４】
また、信号処理部４７から出力されたデジタルの音声信号は、音声処理部５７に供給される。この音声処理部５７は、入力されたデジタルの音声信号を、前記スピーカ１５で再生可能なフォーマットのアナログ音声信号に変換した後、スピーカ１５に出力して音声再生させるとともに、出力端子５８を介して外部に導出させる。
【００３５】
ここで、このデジタルテレビジョン放送受信装置１１は、上記した各種の受信動作を含むその全ての動作を制御部５９によって統括的に制御されている。この制御部５９は、ＣＰＵ（central processing unit）等を内蔵しており、前記操作部１６からの操作情報を受け、または、リモートコントローラ１７から送出された操作情報を、前記受光部１８を介して受信し、その操作内容が反映されるように各部をそれぞれ制御している。
【００３６】
この場合、制御部５９は、主として、そのＣＰＵが実行する制御プログラムを格納したＲＯＭ（read only memory）６０と、該ＣＰＵに作業エリアを提供するＲＡＭ（random access memory）６１と、各種の設定情報及び制御情報等が格納される不揮発性メモリ６２とを利用している。
【００３７】
また、この制御部５９は、カードＩ／Ｆ（Interface）６３を介して、前記第１のメモリカード１９が装着可能なカードホルダ６４に接続されている。これによって、制御部５９は、カードホルダ６４に装着された第１のメモリカード１９と、カードＩ／Ｆ６３を介して情報伝送を行なうことができる。
【００３８】
さらに、上記制御部５９は、カードＩ／Ｆ６５を介して前記第２のメモリカード２０が装着可能なカードホルダ６６に接続されている。これによって、制御部５９は、カードホルダ６６に装着された第２のメモリカード２０と、カードＩ／Ｆ６５を介して情報伝送を行なうことができる。
【００３９】
また、上記制御部５９は、通信Ｉ／Ｆ６７を介して第１のＬＡＮ端子２１に接続されている。これにより、制御部５９は、第１のＬＡＮ端子２１に接続されたＬＡＮ対応のＨＤＤ２５と、通信Ｉ／Ｆ６７を介して情報伝送を行なうことができる。この場合、制御部５９は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００４０】
さらに、上記制御部５９は、通信Ｉ／Ｆ６８を介して第２のＬＡＮ端子２２に接続されている。これにより、制御部５９は、第２のＬＡＮ端子２２に接続された各機器（図１参照）と、通信Ｉ／Ｆ６８を介して情報伝送を行なうことができる。
【００４１】
また、上記制御部５９は、ＵＳＢ Ｉ／Ｆ６９を介して前記ＵＳＢ端子２３に接続されている。これにより、制御部５９は、ＵＳＢ端子２３に接続された各機器（図１参照）と、ＵＳＢ Ｉ／Ｆ６９を介して情報伝送を行なうことができる。
【００４２】
さらに、上記制御部５９は、ｉ．Link Ｉ／Ｆ７０を介してｉ．Link端子２４に接続されている。これにより、制御部５９は、ｉ．Link端子２４に接続された各機器（図１参照）と、ｉ．Link Ｉ／Ｆ７０を介して情報伝送を行なうことができる。
【００４３】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ、番組説明キー１７ｑ等が設けられている。
【００４４】
ここで、上記信号処理部４７が行なうＭＰＥＧノイズリダクション処理について説明する。このＭＰＥＧノイズリダクション処理は、図４に示すように、上記信号処理部４７に内蔵されたＭＰＥＧノイズリダクション処理部７１に、映像信号を供給することにより実行される。
【００４５】
この場合、ＭＰＥＧノイズリダクション処理部７１は、２つの制御端子Ｃ１，Ｃ２を備えている。そして、ＭＰＥＧノイズリダクション処理部７１は、制御端子Ｃ１に論理値０の制御信号が供給されたとき、ノイズリダクション処理を停止するオフ状態となり、入力された映像信号をそのまま出力するように動作する。
【００４６】
また、このＭＰＥＧノイズリダクション処理部７１は、制御端子Ｃ１に論理値１の制御信号が供給されたとき、入力された映像信号に対してモスキートノイズのノイズリダクション処理を実行するオン状態となるように動作する。
【００４７】
さらに、このＭＰＥＧノイズリダクション処理部７１は、制御端子Ｃ１に論理値１の制御信号が供給された、ノイズリダクション処理のオン状態において、制御端子Ｃ２に供給される制御信号により、ノイズリダクション処理を施す強さを「弱」、「中」、「強」の３段階に可変することができる。
【００４８】
この場合、制御端子Ｃ２に供給される制御信号としては、映像信号にどの程度の強さのノイズリダクション処理を施すかを設定するためのしきい値が用いられる。つまり、制御信号として３種類のしきい値を選択的に与えることにより、ノイズリダクション処理をかける強さを３段階に可変することができる。
【００４９】
そして、これらの各制御信号は、ユーザの設定操作に応じて制御部５９で生成され、ＭＰＥＧノイズリダクション処理部７１の制御端子Ｃ１，Ｃ２にそれぞれ供給されるようになっている。
【００５０】
すなわち、このデジタルテレビジョン放送受信装置１１は、モスキートノイズに対するノイズリダクション処理をオンまたはオフ状態に設定すること、オン状態においてノイズリダクション処理を施す強さを設定することを、ユーザの操作によって実現することができるように構成されている。
【００５１】
具体的に言えば、上記リモートコントローラ１７のクイックキー１７ｅを操作することにより、映像表示器１４の画面上に、図５に示すようなクイックメニュー画面が表示される。このクイックメニュー画面では、「外部機器登録」、「画面サイズ切換」、「オフタイマー」、「信号切換」、「映像設定」、「音声設定」、「データ放送機能」の７つの項目が選択肢として表示される。
【００５２】
このクイックメニュー画面において、リモートコントローラ１７のカーソルキー１７を操作して所望の項目を選択し、決定キー１７ｇを操作することにより、選択された項目が決定される。この場合には、「映像設定」の項目が選択され決定される。
【００５３】
すると、映像表示器１４の画面上に、図６に示すような映像設定画面が表示される。この映像設定画面では、「映像メニュー」、「映像調整」、「カラーイメージコントロール」、「ベースカラー調整」、「上下振幅調整」、「上下画面位置」、「ファインシネマ」の７つの項目が選択肢として表示される。この映像設定画面において、リモートコントローラ１７のカーソルキー１７を操作して「映像調整」の項目を選択し、決定キー１７ｇを操作する。
【００５４】
これにより、図７に示すような映像調整画面が表示される。この映像調整画面では、「ユニカラー」、「明るさ」、「黒レベル」、「色の濃さ」、「色あい」、「画質」、「詳細調整」、「初期設定に戻す」の８つの項目が選択肢として表示される。この映像調整画面において、リモートコントローラ１７のカーソルキー１７を操作して「詳細調整」の項目を選択し、決定キー１７ｇを操作する。
【００５５】
すると、図８に示すような詳細調整画面が表示される。この詳細調整画面では、「色温度」、「ダイナミックガンマ」、「ＭＰＥＧ ＮＲ（ノイズリダクション）」、「ＤＮＲ」の４つの項目が選択肢として表示される。この詳細調整画面において、リモートコントローラ１７のカーソルキー１７を操作して「ＭＰＥＧ ＮＲ」の項目を選択し、決定キー１７ｇを操作する。
【００５６】
これにより、図９に示すようなＭＰＥＧ ＮＲ設定画面が表示される。このＭＰＥＧ ＮＲ設定画面では、「オフ」、「弱」、「中」、「強」の４つの項目が選択肢として表示される。このＭＰＥＧ ＮＲ設定画面において、リモートコントローラ１７のカーソルキー１７を操作していずれかの項目を選択し、決定キー１７ｇを操作する。
【００５７】
この場合、例えば、「オフ」の項目が選択され決定されると、上記制御部５９は、ＭＰＥＧノイズリダクション処理部７１の制御端子Ｃ１に論理値０の制御信号を供給し、ノイズリダクション処理をオフ状態とするように動作する。
【００５８】
また、「弱」、「中」、「強」のいずれかの項目が選択され決定されると、制御部５９は、ＭＰＥＧノイズリダクション処理部７１の制御端子Ｃ１に論理値０の制御信号を供給してノイズリダクション処理をオン状態に設定するとともに、選択された項目に対応するしきい値をＲＯＭ６０から読み出し、制御端子Ｃ２に制御信号として供給する。これにより、モスキートノイズに対するノイズリダクション処理を施す強さを設定することができる。
【００５９】
なお、図５乃至図９に示したいずれの画面の表示状態においても、リモートコントローラ１７の終了キー１７ｌを操作することにより、クイックキー１７ｅを操作する前の画面にダイレクトに戻ることが可能である。
【００６０】
図１０は、上記したモスキートノイズに対するノイズリダクション処理の各種設定動作をまとめたフローチャートを示している。すなわち、リモートコントローラ１７のクイックキー１７ｅが操作されることにより、処理が開始（ステップＳ１）されると、制御部５９は、ステップＳ２で、映像表示器１４の画面上にクイックメニューを表示させる。
【００６１】
その後、制御部５９は、クイックメニュー画面を頂点とする階層構造となされた各種のメニュー画面に分け入る操作が行なわれる中で、図５に示したクイックメニュー画面から図９に示したＭＰＥＧ ＮＲ設定画面に至る所定の操作が行なわれることにより、ステップＳ３で、ＭＰＥＧ ＮＲ設定画面を表示させる。
【００６２】
次に、制御部５９は、ステップＳ４で、ＭＰＥＧ ＮＲ設定画面に表示された各項目の中で、「オフ」の項目が選択され決定されたか、「弱」、「中」、「強」のいずれかの項目が選択され決定されたかを判別する。
【００６３】
そして、「オフ」の項目が選択決定されたと判断された場合、制御部５９は、ステップＳ５で、ＭＰＥＧノイズリダクション処理部７１の制御端子Ｃ１に論理値０の制御信号を供給し、モスキートノイズに対するノイズリダクション処理をオフ状態に設定して、処理を終了（ステップＳ７）する。
【００６４】
また、上記ステップＳ４で「弱」、「中」、「強」のいずれかの項目が選択決定されたと判断された場合、制御部５９は、ステップＳ６で、ＭＰＥＧノイズリダクション処理部７１の制御端子Ｃ１に論理値０の制御信号を供給するとともに、選択された項目に対応するしきい値を制御端子Ｃ２に供給し、モスキートノイズに対するノイズリダクション処理の強さを設定して、処理を終了（ステップＳ７）する。
【００６５】
上記した実施の形態によれば、信号処理部４７にモスキートノイズに対するノイズリダクション処理を行なうＭＰＥＧノイズリダクション処理部７１を内蔵させるようにしたので、ＭＰＥＧ方式による圧縮伸長処理が施された映像信号に発生するモスキートノイズに対処することが可能となる。
【００６６】
そして、モスキートノイズに対するノイズリダクション処理を施すか否か、施す場合のノイズリダクション処理の強さを、ユーザの操作によって設定することができるようにしたので、モスキートノイズに対して実用的なレベルで適切に対処することができるようになる。
【００６７】
すなわち、モスキートノイズに対するノイズリダクション処理は、強くかけすぎると映像の精細感を損なうことがあるので、表示画面を見ながらユーザがオフ状態や最適な強さを選択することができるようにしたことは、ユーザにとって極めて便利で実用性が高いものとなる。
【００６８】
また、ＭＰＥＧノイズリダクション処理部７１としては、その制御端子Ｃ１に論理値０の制御信号が供給され、ノイズリダクション処理をオフ状態に設定されたとしても、完全にノイズリダクション処理を停止するのではなく、ノイズリダクション処理を微弱に施すように構成してもよいものである。オフ状態でのノイズリダクション処理を施す強さは、例えばデジタルテレビジョン放送受信装置１１の製造メーカが目指している映像の概念等に応じて決定されることになる。
【００６９】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７０】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す図。
【図４】同実施の形態におけるデジタルテレビジョン放送受信装置のＭＰＥＧノイズリダクション処理部を説明するために示すブロック構成図。
【図５】同実施の形態におけるデジタルテレビジョン放送受信装置に表示されるクイックメニューの一例を説明するために示す図。
【図６】同実施の形態におけるデジタルテレビジョン放送受信装置に表示される映像設定画面の一例を説明するために示す図。
【図７】同実施の形態におけるデジタルテレビジョン放送受信装置に表示される映像調整画面の一例を説明するために示す図。
【図８】同実施の形態におけるデジタルテレビジョン放送受信装置に表示される詳細調整画面の一例を説明するために示す図。
【図９】同実施の形態におけるデジタルテレビジョン放送受信装置に表示されるＭＰＥＧ ＮＲ設定画面の一例を説明するために示す図。
【図１０】同実施の形態におけるデジタルテレビジョン放送受信装置の主要な処理動作を説明するために示すフローチャート。
【符号の説明】
【００７１】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４ａ〜５４ｄ…入力端子、５５…映像処理部、５６…出力端子、５７…音声処理部、５８…出力端子、５９…制御部、６０…ＲＯＭ、６１…ＲＡＭ、６２…不揮発性メモリ、６３…カードＩ／Ｆ、６４…カードホルダ、６５…カードＩ／Ｆ、６６…カードホルダ、６７…通信Ｉ／Ｆ、６８…通信Ｉ／Ｆ、６９…ＵＳＢ Ｉ／Ｆ、７０…ｉ．Link Ｉ／Ｆ、７１…ＭＰＥＧノイズリダクション処理部。
【図１】
2006246249.tif 000003
【図２】
2006246249.tif 000004
【図３】
2006246249.tif 000005
【図４】
2006246249.tif 000006
【図５】
2006246249.tif 000007
【図６】
2006246249.tif 000008
【図７】
2006246249.tif 000009
【図８】
2006246249.tif 000010
【図９】
2006246249.tif 000011
【図１０】
2006246249.tif 000012